(57)【要約】【課題】カバーの開閉を検出するセンサが不要な減速装置及びこの減速装置を備えた記録装置を提供する。【解決手段】キャリッジモータ３１によって駆動されるキャリッジ駆動ベルト１０１と、このキャリッジ駆動ベルト１０１に保持されて往復動作するキャリッジと、このキャリッジの移動領域を覆う開閉自在なカバー１１ａとを備え、このカバー１１ａを開いた場合、キャリッジの動作速度を減速させる減速装置１００において、キャリッジモータ３１の駆動ギヤ１０４とキャリッジ駆動ベルト１０１の被駆動ギヤ１０２との間に減速比を切り換え可能な伝動機構１１０を設け、この伝動機構１１０による減速比をカバー１１ａの開閉動作に連動させて切り換える切換機構１２０を備えるようにした。【選択図】      図３
2004345285.tif 000002
【特許請求の範囲】
【請求項１】
キャリッジモータによって駆動されるキャリッジ駆動ベルトと、このキャリッジ駆動ベルトに保持されて往復動作するキャリッジと、このキャリッジの移動領域を覆う開閉自在なカバーとを備え、このカバーを開いた場合、前記キャリッジの動作速度を減速させる減速装置において、
前記キャリッジモータの駆動ギヤと前記キャリッジ駆動ベルトの被駆動ギヤとの間に減速比を切り換え可能な伝動手段を設け、この伝動手段による減速比を前記カバーの開閉動作に連動させて切り換える切換手段を備えたことを特徴とする減速装置。
【請求項２】
前記伝動手段は、前記駆動ギヤの回転を前記被駆動ギヤに異なる減速比で伝達可能な複数の減速ギヤを有し、
前記切換手段は、前記複数の減速ギヤを前記カバーの開閉動作に連動させて切り換えることを特徴とする請求項１に記載の減速装置。
【請求項３】
前記伝動手段は、前記複数の減速ギヤを保持する保持部材を有し、
前記切換手段は、前記カバーの開閉動作に連動させて前記保持部材を移動させて、前記複数の減速ギヤを切り換えることを特徴とする請求項２に記載の減速装置。
【請求項４】
前記保持部材は、前記複数の減速ギヤが前記駆動ギヤに常時噛み合うように保持すると共に、前記駆動ギヤの軸を中心に回転可能に取り付けられ、
前記切換手段は、前記カバーの開閉動作に連動させて前記保持部材を回転させ、前記減速ギヤのいずれか一つを前記被駆動ギヤに噛み合わせることを特徴とする請求項３に記載の減速装置。
【請求項５】
前記複数の減速ギヤは、前記被駆動ギヤに常時噛み合う位置に配置され、
前記切換手段は、前記カバーの開閉動作に連動させて前記駆動ギヤを移動し、この駆動ギヤをいずれか一つの前記減速ギヤに噛み合わせることを特徴とする請求項２に記載の減速装置。
【請求項６】
キャリッジモータによって駆動されるキャリッジ駆動ベルトと、このキャリッジ駆動ベルトに保持されて往復動作するキャリッジと、このキャリッジに搭載される記録ヘッドとを備え、この記録ヘッドにより画像を記録する記録装置において、
前記キャリッジの移動領域を覆う開閉自在なカバーと、このカバーを開いた場合、前記キャリッジの動作速度を減速させる減速装置とを備え、
この減速装置は、
前記キャリッジモータの駆動ギヤと前記キャリッジ駆動ベルトの被駆動ギヤとの間に減速比を切り換え可能な伝動手段と、この伝動手段による減速比を前記カバーの開閉動作に連動させて切り換える切換手段とを備えることを特徴とする記録装置。
【請求項７】
前記伝動手段は、前記駆動ギヤの回転を前記被駆動ギヤに異なる減速比で伝達可能な複数の減速ギヤを有し、
前記切換手段は、前記複数の減速ギヤを前記カバーの開閉動作に連動させて切り換えることを特徴とする請求項６に記載の記録装置。
【請求項８】
前記伝動手段は、前記複数の減速ギヤを保持する保持部材を有し、
前記切換手段は、前記カバーの開閉動作に連動させて前記保持部材を移動させて、前記複数の減速ギヤを切り換えることを特徴とする請求項７に記載の記録装置。
【請求項９】
前記保持部材は、前記複数の減速ギヤが前記駆動ギヤに常時噛み合うように保持すると共に、前記駆動ギヤの軸を中心に回転可能に取り付けられ、
前記切換手段は、前記カバーの開閉動作に連動させて前記保持部材を回転させ、前記減速ギヤのいずれか一つを前記被駆動ギヤに噛み合わせることを特徴とする請求項８に記載の記録装置。
【請求項１０】
前記複数の減速ギヤは、前記被駆動ギヤに常時噛み合う位置に配置され、
前記切換手段は、前記カバーの開閉動作に連動させて前記駆動ギヤを移動し、この駆動ギヤをいずれか一つの前記減速ギヤに噛み合わせることを特徴とする請求項７に記載の記録装置。
【発明の詳細な説明】
【０００１】
【発明の属する技術分野】
本発明は、キャリッジを覆うカバーを開いた場合に、キャリッジの動作速度を減速させる減速装置及び記録装置に関する。
【０００２】
【従来の技術】
従来より、キャリッジモータによって駆動されるキャリッジ駆動ベルトと、このキャリッジ駆動ベルトに保持されて往復動作するキャリッジと、このキャリッジに搭載される記録ヘッドとを備え、この記録ヘッドによりシートに画像を記録する記録装置が知られている。
【０００３】
この種の記録装置には、キャリッジなどのメンテナンスなどを行うために開閉可能に構成されたカバーと、このカバーの開閉を検出するセンサとを備え、カバーが開いたことを検出すると、キャリッジの動作速度を減速させる減速装置を備えたものがある（例えば、特許文献１）。
【０００４】
このように、カバーが開いた場合にキャリッジを減速させることによって、高速動作中のキャリッジに人体が接触するのを回避できると共に、画像の記録動作を継続させることができる。
【０００５】
【特許文献１】
特開平１１−１３８９４７号公報
【０００６】
【発明が解決しようとする課題】
しかしながら、従来の記録装置は、カバーの開閉を検出するセンサを設ける必要があったため、その分コストが増加してしまうという問題があった。また、カバーの近傍にセンサの配置スペースを設ける必要があり、記録装置の小型化に不利な問題もあった。
【０００７】
そこで、本発明の目的は、上述した従来の技術が有する課題を解消し、カバーの開閉を検出するセンサが不要な減速装置及びこの減速装置を備えた記録装置を提供することを目的とする。
【０００８】
【課題を解決するための手段】
上述課題を解決するため、請求項１に記載の発明は、キャリッジモータによって駆動されるキャリッジ駆動ベルトと、このキャリッジ駆動ベルトに保持されて往復動作するキャリッジと、このキャリッジの移動領域を覆う開閉自在なカバーとを備え、このカバーを開いた場合、前記キャリッジの動作速度を減速させる減速装置において、前記キャリッジモータの駆動ギヤと前記キャリッジ駆動ベルトの被駆動ギヤとの間に減速比を切り換え可能な伝動手段を設け、この伝動手段による減速比を前記カバーの開閉動作に連動させて切り換える切換手段を備えたことを特徴とする。この構成によれば、カバーの開閉動作に連動して減速比が切り換わるので、カバーが開いた場合にキャリッジの動作速度を減速させることができる。
【０００９】
また、請求項２に記載の発明は、請求項１に記載の構成において、前記伝動手段は、前記駆動ギヤの回転を前記被駆動ギヤに異なる減速比で伝達可能な複数の減速ギヤを有し、前記切換手段は、前記複数の減速ギヤを前記カバーの開閉動作に連動させて切り換えることを特徴とする。
【００１０】
また、請求項３に記載の発明は、請求項２に記載の構成において、前記伝動手段は、前記複数の減速ギヤを保持する保持部材を有し、前記切換手段は、前記カバーの開閉動作に連動させて前記保持部材を移動させて、前記複数の減速ギヤを切り換えることを特徴とする。
【００１１】
また、請求項４に記載の発明は、請求項３に記載の構成において、前記保持部材は、前記複数の減速ギヤが前記駆動ギヤに常時噛み合うように保持すると共に、前記駆動ギヤの軸を中心に回転可能に取り付けられ、前記切換手段は、前記カバーの開閉動作に連動させて前記保持部材を回転させ、前記減速ギヤのいずれか一つを前記被駆動ギヤに噛み合わせることを特徴とする。
【００１２】
また、請求項５に記載の発明は、請求項２に記載の構成において、前記複数の減速ギヤは、前記被駆動ギヤに常時噛み合う位置に配置され、前記切換手段は、前記カバーの開閉動作に連動させて前記駆動ギヤを移動し、この駆動ギヤをいずれか一つの前記減速ギヤに噛み合わせることを特徴とする。
【００１３】
また、請求項６に記載の発明は、キャリッジモータによって駆動されるキャリッジ駆動ベルトと、このキャリッジ駆動ベルトに保持されて往復動作するキャリッジと、このキャリッジに搭載される記録ヘッドとを備え、この記録ヘッドにより画像を記録する記録装置において、前記キャリッジの移動領域を覆う開閉自在なカバーと、このカバーを開いた場合、前記キャリッジの動作速度を減速させる減速装置とを備え、この減速装置は、前記キャリッジモータの駆動ギヤと前記キャリッジ駆動ベルトの被駆動ギヤとの間に減速比を切り換え可能な伝動手段と、この伝動手段による減速比を前記カバーの開閉動作に連動させて切り換える切換手段とを備えることを特徴とする。この構成によれば、カバーの開閉動作に連動して減速比が切り換わるので、カバーが開いた場合にキャリッジの動作速度を減速させることができる。
【００１４】
また、請求項７に記載の発明は、請求項６に記載の構成において、前記伝動手段は、前記駆動ギヤの回転を前記被駆動ギヤに異なる減速比で伝達可能な複数の減速ギヤを有し、前記切換手段は、前記複数の減速ギヤを前記カバーの開閉動作に連動させて切り換えることを特徴とする。
【００１５】
また、請求項８に記載の発明は、請求項７に記載の構成において、前記伝動手段は、前記複数の減速ギヤを保持する保持部材を有し、前記切換手段は、前記カバーの開閉動作に連動させて前記保持部材を移動させて、前記複数の減速ギヤを切り換えることを特徴とする。
【００１６】
また、請求項９に記載の発明は、請求項８に記載の構成において、前記保持部材は、前記複数の減速ギヤが前記駆動ギヤに常時噛み合うように保持すると共に、前記駆動ギヤの軸を中心に回転可能に取り付けられ、前記切換手段は、前記カバーの開閉動作に連動させて前記保持部材を回転させ、前記減速ギヤのいずれか一つを前記被駆動ギヤに噛み合わせることを特徴とする。
【００１７】
また、請求項１０に記載の発明は、請求項７に記載の構成において、前記複数の減速ギヤは、前記被駆動ギヤに常時噛み合う位置に配置され、前記切換手段は、前記カバーの開閉動作に連動させて前記駆動ギヤを移動し、この駆動ギヤをいずれか一つの前記減速ギヤに噛み合わせることを特徴とする。
【００１８】
【発明の実施の形態】
以下、図面を参照して本発明の実施形態を詳述する。
【００１９】
図１は、本発明の記録装置の実施形態に係るプリンタ１０の側断面図であり、図２は、このプリンタ１０の外装カバー１１を外した状態を示す斜視図である。
【００２０】
このプリンタ１０は、複数の記録ワイヤを選択的に打ち出す記録ヘッド２０と、この記録ヘッド２０が搭載されるキャリッジ３０とを備え、記録ヘッド２０から打ち出された記録ワイヤをシートに打ち付けることによって文字を含む画像を記録するドットインパクトプリンタである。なお、シートとしては、カットシート、連続シート、葉書等が用いられる。
【００２１】
図１に示すように、このプリンタ１０は、大別すると、記録ユニットを構成するプリンタ本体１２と、トラクタユニット１３と、シートガイド１４と、排紙トレイ１６とを備え、これらが外装カバー１１で覆って構成されている。
【００２２】
プリンタ本体１２は、記録ヘッド２０やキャリッジ３０等から構成される記録機構部２２と、プラテン２３やシート搬送ローラ２４、２５等から構成されるシート搬送機構部２６とを備える。
【００２３】
このプリンタ本体１２は、図１及び図２に示すように、左サイドフレーム２７Ｌと右サイドフレーム２７Ｒとの間に、シート案内フレーム２８、プラテン２３、キャリッジガイド軸２９及びローラ軸２４ａ、２５ａを略平行に架け渡して構成されている。この右サイドフレーム２７Ｒは、さらに、シート搬送モータ３２及びキャリッジ駆動モータ３１を支持し、このシート搬送モータ３２が、輪列機構（不図示）を介してプラテン２３及びローラ軸２４ａ、２５ａを回転させる。これらプラテン２３及びローラ軸２４ａ、２５ａが回転することによって、シートがシートガイド１４及びシート案内フレーム２８に沿って搬送される。
【００２４】
キャリッジガイド軸２９は、キャリッジ３０を軸方向に移動可能に支持する。キャリッジ３０は、キャリッジ駆動ベルトに固定され、このキャリッジ駆動ベルトがキャリッジ駆動モータ３１によって駆動されることにより、キャリッジガイド軸２９の軸方向に往復動作（往復走行）する。
【００２５】
記録ヘッド２０は、このキャリッジ３０に搭載され、キャリッジ３０がキャリッジガイド軸２９の軸方向に移動することにより、図２に示すように、主走査方向（矢印Ｘ方向）に移動する。この記録ヘッド２０は、複数の記録ワイヤを、プラテン２３に向けて打ち出す構成を備えている。
【００２６】
プリンタ本体１２には、図１に示すように、リボン巻き取り軸５０が取り付けられ、このリボン巻き取り軸５０は、モータ（不図示）で駆動されるリボンドライブユニット９０に連結されている。そして、このリボン巻き取り軸５０に対して、リボンカートリッジ（不図示）が着脱自在に装着され、このリボンカートリッジのインクリボンが、記録ヘッド２０とプラテン２３との間に配置される。これにより、記録ヘッド２０は、キャリッジ３０により主走査方向に移動する間に、記録ワイヤを突出させてインクリボンに打ち当て、プラテン２３と記録ヘッド２０との間に搬送されたシートに一行分の文字等の画像を記録する。
【００２７】
トラクタユニット１３は、トラクタベルト１３Ａの回転によりシートをシート案内フレーム２８に向けて搬送する。ここで、外装カバー１１は、プリンタ１０のフロント側に開閉自在なカバー１５を備えており、このカバー１５を開くことにより、シートをトラクタユニット１３上にセットすることができる。
【００２８】
また、シートガイド１４は、シートを手差し給紙する際の手差しトレイとして機能すると共に、上記トラクタユニット１３により、シートがプリンタ１０のフロントから給紙された場合（フロント給紙の場合）は、シートの排紙トレイとして機能する。
【００２９】
以上の構成の下、記録ヘッド２０による記録動作は、記録ヘッド２０が、キャリッジ３０により主走査方向（矢印Ｘ方向）に移動される間に、記録ヘッド２０からの記録ワイヤの打ち出しにより一行分の記録がなされ、この一行分の記録がなされる度に、フロント給紙の場合は、トラクタユニット１３及びシート搬送機構部２６が、リア給紙（手差し給紙）の場合は、プラテン２３が、シートを所定長（通常行間分）搬送させ、これらの動作が繰り返されることにより実施される。
【００３０】
上述した記録ヘッド２０、キャリッジ駆動モータ３１及びシート搬送モータ３２の制御は、制御基板部４０（図１参照）が行う。制御基板部４０は、通信ケーブル４１を介して接続された外部機器（例えば、パーソナルコンピュータ）との間で通信を行う機能を備え、外部機器から印刷データを受信すると、この印刷データに基づいて上記記録制御を行う。
【００３１】
このプリンタ１０の外装カバー１１は、図１に示すように、上記リボンカートリッジなどの交換やメンテナンスのために、キャリッジ３０の移動領域を覆うカバー１１ａが開閉可能に構成されている。
【００３２】
ところで、本実施形態のプリンタ１０は、このカバー１１ａが開けられた場合に、人体が高速動作中のキャリッジ３０に接触するのを回避するため、キャリッジ３０の動作速度を、人体が接触しても安全な速度まで減速させる減速機構（減速装置）１００を備えている。
【００３３】
図３は、この減速機構１００の概要を示す図である。この図において、符号１０１は、上記したキャリッジ駆動ベルトであり、符号１０２は、キャリッジ駆動ベルト１０１の駆動プーリ１０３と一体的に回転するベルト駆動ギヤ（被駆動ギヤ）であり、符号１０４は、キャリッジ駆動モータ３１の軸３１ａに固定された駆動ギヤである。なお、図３において、一点鎖線Ｌの下方は、プリンタ１０の上方から見たときの各構成部材を示しており、一点鎖線Ｌの上方は、カバー１１ａの側面を示す図である。
【００３４】
この減速機構１００は、この駆動ギヤ１０４とベルト駆動ギヤ１０２との間に配置され、駆動ギヤ１０４の減速比を切り換える伝動機構１１０と、この伝動機構１１０による減速比をカバー１１ａの開閉動作に連動させて切り換える切換機構１２０とから構成される。
【００３５】
詳述すると、伝動機構１１０は、歯数の異なる２つの減速ギヤ１１１、１１２を有する。これら減速ギヤ１１１、１１２は、駆動ギヤ１０４と常時噛み合うようにクランク（保持部材）１１３の両端に各々回転可能に保持される。このクランク１１３は、駆動ギヤ１０４の軸３１ａを中心に回転可能に取り付けられており、これにより、このクランク１１３を回転させることにより、これら減速ギヤ１１１、１１２のいずれか一方をベルト駆動ギヤ１０２に噛み合わせることができるように構成されている。
【００３６】
切換機構１２０は、このクランク１１３をカバー１１ａの開閉動作に連動して回転させる機構である。具体的には、この切換機構１２０は、カバー１１ａと一体的に連結された連結部１１ｂに固定され、一端にフック１２１を有する剛体部材１２２と、一端がフック１２１に引っ掛けられ、他端がクランク１１３に取り付けられたワイヤ１２３とを有する。また、クランク１１３は、図示しないばね又はゴムなどの弾性体によって図中反時計回り方向（矢印Ｃ方向）に付勢される。
【００３７】
これにより、切換機構１２０は、図３に示すように、カバー１１ａが閉じた状態α（図中実線で示す）では、弾性体によってクランク１１３を矢印Ｃ方向に回転させ、減速比が小さい方の減速ギヤ１１２をベルト駆動ギヤ１０２に噛み合う位置に保持させる。また、切換機構１２０は、カバー１１ａが開いた状態β（図中二点鎖線で示す）では、カバー１１ａの開動作に連動してワイヤ１２３がクランク１１３を図中時計回り方向（矢印−Ｃ方向）に回転させ、減速ギヤ１１２をベルト駆動ギヤ１０２から離し、減速比が大きい方の減速ギヤ１１１をベルト駆動ギヤ１０２に噛み合う位置に保持させる。従って、切換機構１２０は、カバー１１ａの開閉動作に連動して駆動ギヤ１０４の減速比を切り換える。
【００３８】
このように、カバー１１ａが開くと、駆動ギヤ１０４の減速比を設定する減速ギヤが、減速比の小さい減速ギヤ１１２から減速比の大きい減速ギヤ１１１に切り換わるので、キャリッジ３０の動作速度を人体が接触しても安全な速度まで減速させることができる。
【００３９】
また、このプリンタ１０は、カバー１１ａの開閉動作に連動するクランク１１３の動作を検出するセンサを備え、このセンサの検出結果が制御基板部４０に出力される。これにより、制御基板部４０は、センサの出力結果に基づいて、駆動ギヤ１０４の減速比が切り換わったことを検出することができる。そして、制御基板部４０は、記録ヘッド２０による記録動作を行っている場合に、駆動ギヤ１０４の減速比が切り換わると、記録ヘッド２０の記録ワイヤの突出タイミングを補正し、切り換え後のキャリッジ３０の動作速度に適合する突出タイミングで記録制御を行う。これにより、シートへの記録動作中にカバー１１ａが開閉されても、印字ミスを生じさせることなく、記録動作を継続することができる。
【００４０】
以上説明したように、本実施形態によれば、カバー１１ａの開閉動作に連動してキャリッジモータ３１の駆動ギヤ１０４の減速比が切り換わるので、カバー１１ａの開閉動作を検出するセンサを用いることなく、カバー１１ａが開いた場合にキャリッジ３０の動作速度を減速させることができる。このように、カバー１１ａの開閉検出用のセンサを用いる必要がないので、開閉検出用のセンサの故障又は誤動作などによって、カバー１１ａが開いたにもかかわらず、キャリッジ３０が減速されない、といった事態を確実に回避することができる。さらに、カバー１１ａの近傍にセンサの配置スペースを設ける必要がないので、プリンタ１０の小型化及び低コスト化が可能である。
【００４１】
なお、本発明は上記実施の形態の構成に限らず、様々な変形実施が可能である。例えば、上記実施の形態では、クランク１１３を移動させて駆動ギヤ１０４の減速比を切り換える場合について説明したが、駆動ギヤ１０４を減速ギヤ１１１、１１２のいずれか一方に噛み合う位置に移動して減速ギヤ１０４の減速比を切り換えるようにしてもよい。例えば、図４に示すように、伝動機構１１０として、駆動ギヤ１０４の軸をスライド可能に保持するレール１３０を設け、このレール１３０に沿って駆動ギヤ１０４をキャリッジ駆動モータ３１と共に図中矢印Ｄ方向に移動可能に構成する。さらに、減速ギヤ１１１、１１２を、矢印Ｄ方向に移動する駆動ギヤ１０４と噛み合う位置であって、かつ、ベルト駆動ギヤ１０２と常時噛み合う位置に設ける。さらにまた、切換機構１２０として、カバー１１ａの連結部１１ｂに固定された剛体部材１３１と、この剛体部材１３１の一端に設けられた引っ張りばね１３２と、この引っ張りばね１３２の一端に設けられたフック１３３に引っ掛けられ、他端が駆動ギヤ１０４に連結されたワイヤ１３４とを設ける。
【００４２】
この構成によれば、切換機構１２０Ａは、図４に示すように、カバー１１ａが閉じた状態α（図中実線で示す）では、引っ張りばね１３２が縮んで駆動ギヤ１０４を、減速比が小さい方の減速ギヤ１１２と噛み合う位置γに保持させる。一方、カバー１１ａが開いた状態β（図中二点鎖線で示す）では、切換機構１２０Ａは、引っ張りばね１３２が伸びて駆動ギヤ１０４を減速比が大きい方の減速ギヤ１１１と噛み合う位置にスライドさせる。これにより、カバー１１ａの開閉動作に連動して駆動ギヤ１０４の減速比を切り換えることができ、カバー１１ａが開いた場合に、キャリッジ３０の動作速度を人体が接触しても安全な速度まで減速させることができる。
【００４３】
また、伝動機構１１０は、上記実施形態の機構に限らない。例えば、減速ギヤ１１１、１１２の両方を同軸に形成した複合ギヤを設け、減速ギヤ１１１、１１２のいずれか一方が駆動ギヤ１０４とベルト駆動ギヤ１０２とに噛み合うように、複合ギヤを移動させる機構を用いてもよい。また、伝動機構１１０が２つの減速ギヤ１１１、１１２を有する場合について述べたが、２つ以上の減速ギヤを有する構成にしてもよい。
【００４４】
また、上記実施の形態では、記録ヘッド２０が搭載されたキャリッジ３０の動作速度を、カバー１１ａの開閉動作に連動して減速させる減速機構１００に本発明を適用する場合について述べたが、シートカッターが搭載されるキャリッジの動作速度を、カバーの開閉動作に連動して減速させる減速機構や、磁気記録ヘッドが搭載されたキャリッジの動作速度をカバーの開閉動作に連動させて減速させる減速機構などに広く適用することができる。なお、磁気記録ヘッドは、通帳等に貼着された磁気ストライプに磁気情報を記録し、又はこの記録された磁気情報を読み取る磁気読み取り装置が備えるヘッドである。この種の磁気読み取り装置を備えた記録装置としては通帳プリンタがある。
【００４５】
また、上記実施の形態では、本発明をドットインパクトプリンタに適用する場合について述べたが、インクジェットプリンタ、ファクシミリなどの種々の記録装置に広く適用することが可能である。
【００４６】
【発明の効果】
上述したように本発明によれば、カバーの開閉を検出するセンサが不要な減速装置及び記録装置を提供することができる。
【図面の簡単な説明】
【図１】本発明の記録装置の実施形態に係るプリンタの側断面図である。
【図２】同プリンタの外装カバーを外した状態を示す斜視図である。
【図３】同プリンタの減速機構の概略を示す図である。
【図４】変形例に係る減速機構を示す図である。
【符号の説明】
１０  プリンタ
１１  外装カバー
１１ａ、１５  カバー
１２  プリンタ本体
１３  トラクタユニット
１４  シートガイド
１６  排紙トレイ
２０  記録ヘッド
２３  プラテン
２８  シート案内フレーム
３０  キャリッジ
３１  キャリッジモータ
３２  シート搬送モータ
４０  制御基板部
１００  減速機構
１０１  キャリッジ駆動ベルト
１０２  ベルト駆動ギヤ
１０３  駆動プーリ
１０４  駆動ギヤ
１１０  伝動機構
１１１、１１２  減速ギヤ
１１３  クランク
１２０  切換機構
２００  スライド軸
【図１】
2004345285.tif 000003
【図２】
2004345285.tif 000004
【図３】
2004345285.tif 000005
【図４】
2004345285.tif 000006